(57)【要約】  本発明は、電気的なスイッチング・システムに係り、このスイッチング・システムは、ハウジング、及びその中に配置され且つ制御および／または測定ユニットとして具体化されるコンポーネントを有している。前記コンポーネントは、モジュラー・タイプの引き出しの中に配置されている。少なくとも一つのベース・モジュール（１０）は、ラテラル・ウォール（２４）及び前側挿入エレメント（２６，２８）に加えて、少なくとも一つのモジュール支持プロファイル（１２）を有している。前記ベース・モジュールの一つのフロント・ウォール（２８）（好ましくはその前側）は、制御ユニット及びその反対側の測定ユニットのフロント・ウォール（２６）により形成され、そして、制御ユニット及び測定ユニットの寸法は、前記モジュールのサイズに適合される。
2008535467.tif 000002
【特許請求の範囲】
【請求項１】
電気的スイッチギア・アセンブリであって、ハウジング、及びその中に配置され且つ制御および／または測定ユニットの形態であるコンポーネントを有し、このコンポーネントがモジュラー式の引き抜き可能なパーツの中に配置された、電気的スイッチギア・アセンブリにおいて、
少なくとも一つのモジュール支持プロファイル（１２）並びにラテラル・ウォール（２４）及びエンド側インサート（２６，２８）を有する少なくとも一つのベーシック・モジュール（１０）が、設けられていること、及び、
このベーシック・モジュールの一つのエンド・ウォールが、好ましくはその前側が、制御ユニットにより形成され、そしてその反対側のエンド・ウォール（２６）が測定ユニットにより形成されていること、及び、
前記制御ユニット及び測定ユニットの寸法が、モジュール寸法に合わされていること、
を特徴とする電気的スイッチギア・アセンブリ。
【請求項２】
下記特徴を有する請求項１に記載の電気的スイッチギア・アセンブリ：
各ベーシック・モジュール（１０）は、互いに平行であり且つモジュール支持プロファイル（１２）に属する二本のレール（１４）によって、前記ハウジングの中に保持されている。
【請求項３】
下記特徴を有する請求項１または２に記載の電気的スイッチギア・アセンブリ：
前記モジュール支持プロファイル（１２）に属するガイド溝（１１）が、ベース・プレート（４１）上の対応するレール（１４）と相互作用を行い、その結果として、前記ベーシック・モジュール（１０）が、前記ハウジングの中の、スイッチパネルとして設けられたデバイス領域の中で両側からガイドされる。
【請求項４】
下記特徴を有する請求項１または２に記載の電気的スイッチギア・アセンブリ：
前記モジュール支持プロファイル（１２）には、円形の切除部（２０）及びスロットが設けられている。
【請求項５】
下記特徴を有する請求項１から４のいずれか１項に記載の電気的スイッチギア・アセンブリ：
前記ベーシック・モジュール（１０）の二つの長手方向の壁（２４）は、ラッチにより保持されることが可能な二つの仕切り壁により形成されている。
【請求項６】
下記特徴を有する請求項１から５のいずれか１項に記載の電気的スイッチギア・アセンブリ：
前記サイド・ウォール（２４）は、各モジュール支持プロファイル（１２）の中に設けられ且つモジュール・ハウジングを形成する保持溝と相互作用をする。
【請求項７】
下記特徴を有する請求項１から６のいずれか１項に記載の電気的スイッチギア・アセンブリ：
ラッチング・ボール（１３）が、前記ベーシック・モジュール（１０）の規定された位置のための保持エレメントとして設けられ、前記モジュール支持プロファイル（１２）及び前記ベース・プレート（４１）の対応する切除部（４３）と相互作用をする。
【請求項８】
下記特徴を有する請求項１から７のいずれか１項に記載の電気的スイッチギア・アセンブリ：
ロッキング・ディスク（１５）が、前記ハウジングのベース・プレート（４１）の中の切除部（４４）の中に噛み合うことにより、共同して、引き抜き可能部分のロッキング手段を形成する。
【請求項９】
下記特徴を有する請求項１から８のいずれか１項に記載の電気的スイッチギア・アセンブリ：
ロッキング・ディスク（１５）によって形成された前記引き抜き可能部分のロッキング手段、前記モジュール支持プロファイル（１２）、及び前記ベース・プレート（４１）は、アーキング漏電から安全である。
【請求項１０】
下記特徴を有する請求項１から９のいずれか１項に記載の電気的スイッチギア・アセンブリ：
問題のベーシック・モジュール（１０）をスイッチパネルの中に配置することを可能にするモジュール・グリップ（３２）が、各ベーシック・モジュールのフロント・エンド側に配置されている。
【請求項１１】
下記特徴を有する請求項１から１０のいずれか１項に記載の電気的スイッチギア・アセンブリ：
駆動、測定及び信号の機能の全てが、前記ベーシック・モジュールの中に組み込まれている。
【請求項１２】
請求項１から１１のいずれか１項に記載の電気的スイッチギア・アセンブリのための、特に中電圧または低電圧スイッチギア・アセンブリのための、ベーシック・モジュール。
【発明の詳細な説明】
【技術分野】
【０００１】
本発明は、電気的スイッチギア・アセンブリに係り、この電気的スイッチギア・アセンブリは、ハウジング、及びその中に配置され且つ制御および／または測定ユニットの形態のコンポーネントを有し、これらのコンポーネントは、モジュラー式の引き抜き可能なパーツの中に配置されている。本発明はまた、そのようなスイッチギア・アセンブリのためのベーシック・モジュールに係る。
【背景技術】
【０００２】
今日のデザインによる電気的スイッチギア・アセンブリの多くは、いわゆる引き抜き可能なパーツの技術を用いてデザインされている。即ち、電気的なオペレーティング手段及びデバイスの全て、例えば、コンポーネントとしてインストールされる制御及び測定デバイスが、好ましくはモジュラー化された引き抜き可能なパーツに配置されている。
【０００３】
一方では、これは、アクセス可能性がシンプルになると言う優位性を有している。これは、もし必要な場合に、例えば漏電の場合に、問題の引き抜き可能なモジュールがそれぞれのハウジングから容易に取り外されることが可能であり、そしてそれ故に、大がかりな分解作業を行うことなく、修理され、交換されまたは取り替えられることが可能であると言うことのためである。
【０００４】
他方、既知のモジュラー化された引き抜き可能なパーツの技術は、大量のスペースが必要になると言う不都合を有している。その理由は、引き抜き可能なモジュールのサイズが、通常、挿入されることが見込まれているコンポーネントの最大の寸法となり、その結果、より小さいサイズの他のコンポーネントのために、しばしば、不必要なスペースがスイッチギア・キャビネットの中で使用されないまま残ること、または、スイッチギア・アセンブリの寸法が不必要に大きくされることが必要となる。
【発明の開示】
【発明が解決しようとする課題】
【０００５】
この先行技術に基づき、本発明の目的は、冒頭に述べたタイプであって、容易に製造することが可能であり、更に可能な限り効率の良いスペースの利用を実現する電気的スイッチギア・アセンブリ、並びにそのようなアセンブリ対応するベーシック・モジュールを提供することにある。
【課題を解決するための手段】
【０００６】
この目的は、本発明に基づき、独立請求項に規定された特徴により、実現される。従って、少なくとも一つのベーシック・モジュールが提供され、このベーシック・モジュールは、モジュール支持プロファイル（これは、ベース支持レールにより形成されている）、並びに、エンド側及びラテラル・ウォールを有している。このベーシック・モジュールの一つのエンド・ウォール（好ましくはその前側）は制御ユニットにより形成され、その反対側のエンド・ウォールは測定ユニットにより形成され、それらの制御ユニットと測定ユニットの寸法は、モジュール寸法に合わされている。
【０００７】
このモジュール技術は、本発明に基づいて、それぞれのサイズの要求に適合されることが可能であり、このモジュール技術の助けによって、問題のスイッチギア・キャビネットの中で利用可能なスペースを可能な限り有効に利用することが、今や可能になる。この優位性は、駆動、測定及び信号の機能の全てが、ベーシック・モジュールの中に組み込まれると言うことによって、高められる。
【０００８】
スペースの改善された利用は、本発明の優位性のある形態によれば、各ベーシック・モジュールがハウジングの中にレールによって保持され、それらのレールがモジュール支持プロファイルの両側に一体的に形成されていると言う事実にもまた基づいている。
【０００９】
この場合に、好都合にも、モジュール支持プロファイル上に形成されたガイド溝とハウジングの中の対応するレールが相互作用をするように、準備が成されていて、その結果として、ベーシック・モジュールが、デバイス領域の中の両側でガイドされ、そのデバイス領域は、ハウジングの中にスイッチパネルとして設けられる。本発明の適切な発展形態によれば、上記モジュール支持プロファイルには、ラッチング及び保持溝が設けられる。
【００１０】
本発明の更なる実施形態では、ベーシック・モジュールの二つの長手方向の壁が、ラッチにより保持されることが可能な二つの仕切り壁により形成される。
【００１１】
この場合には、サイド・ウォールが、各モジュール支持プロファイルの中に組み込まれたラッチング及び保持溝の中に噛み合って、モジュール・ハウジングを形成することが、スペースの所望の効率の良い利用に関して、好ましいことが検証された。
【００１２】
本発明に基づくデザインされた上述の電気的スイッチギア・アセンブリの、改善されたハンドリングのために、ラッチング・ボールおよび／またはロッキング・ディスクが設けられ、それらは、モジュール支持プロファイルの中に組み込まれ、そして、ハウジングのベース支持レールの中に噛み合うことによって、共同で、規定された位置を形成する。
【００１３】
このデザインの優位性のある特徴は、ロッキング・ディスクまたはラッチング・ボール、モジュール支持プロファイル、及びベース・プレートの切除部によって、それぞれのモジュール前部とともに、形成された引き抜き可能部分のロッキング手段が、アーキング漏電から安全であると言うことであることが検証された。
【００１４】
同様に、本発明に基づく電気的スイッチギア・アセンブリそれぞれのモジュールのハンドリングを改善するため、スイッチパネルの中での問題のベーシック・モジュールの引き出し及び押し込みを可能にするモジュール・グリップが、各ベーシック・モジュールのフロント・エンド側に配置される。
【００１５】
本発明のこれらの及び更なる優位性のある形態及び改良は、従属請求項の主題である。
【発明を実施するための最良の形態】
【００１６】
以下において、本発明、本発明の優位性のある形態及び改良、及び本発明の特別な優位性が、添付図面に示された本発明の実施形態の例を参照しながら、より詳細に説明され記述される。
【００１７】
図１は、例示的形態における引き抜き可能なベーシック・モジュール１０を、分解組立図で示している。
【００１８】
このベーシック・モジュール１０は、ガイド溝１１を備えたモジュール支持プロファイル１２を有し、このモジュール支持プロファイルは、二本のレール１４により安全にガイドされ、それらのレールは、ベース・プレート４１上に互いに平行に配置されている（図２参照方）。
【００１９】
上記のモジュール支持プロファイル１２は、例えば、金属板、アルミニウム鋳造品またはプラスチックなどから製造することが可能であって、溝状のへこみ１８が設けられている。そのへこみは、センターに沿って成形され、そのへこみの中に、円形の切除部２０が、一定の間隔を開けて形成されている。これらの切除部は、相互に噛み合うやり方で、更なるコンポーネントおよび／または中身（ここには、より詳細には示されていない）を、例えば、締め付けて固定するために適している。センターに沿うこのへこみの両側に、それに対して垂直に、同じ長さ及び幅のスロット２２が、互いからそしてエッジから規定された距離を開けて、配置されている。
【００２０】
これらのスロット２２は、ベーシック・モジュールまたはその中身の最適な換気及び冷却を確保するために、設けられている。それらは、それぞれのベース・プレート４１（図２参照方）のスロット４２（図２参照方）に対応している。
【００２１】
ラッチング・エレメント１３（ラッチング・ボールと呼ばれる）のためのレセプタクルが、モジュール支持プロファイル１２の中に設けられ、それぞれのベース・プレート４１（図２参照方）の対応する切除部４３との間の相互作用で、ベース・プレートに対するベーシック・モジュールの規定された位置合わせを可能にする。
【００２２】
サイド・ウォール２４が、モジュール支持プロファイル１２の長手方向の側に設けられている。これらのサイド・ウォールには、開口が設けられ、そして同様に、モジュール支持プロファイル１２に、相互に噛み合うやり方で接合している。
【００２３】
モジュール・リア・ウォールの形態の終息部２６が、引き抜き可能なベーシック・モジュール１０のリア・エンド側で使用され、そして、その部分のために、モジュール支持プロファイル１２並びにサイド・ウォール２４に対して、相互に噛み合うやり方で接続される。この場合には、測定デバイス、特に被測定変数の検出および／または被測定変数の予備処理のための手段を有する測定デバイスが、好都合にも、終息部の中に組み込まれる。
【００２４】
フロント・エンド側は、フロント・モジュール２８により形成され、このフロント・モジュールは、同様に、モジュール支持プロファイル１２並びにサイド・ウォール２４に対して、相互に噛み合うやり方で接続される。ここに示された実施形態の例において、フロント・モジュール２８には、制御デバイス３０が設けられている。トグル・スイッチ３２は、ベーシック・モジュールの異なる運転状態の間での切り替えを行うために使用され、モジュールの内側に配置されたスイッチング・デバイスのスイッチの入り切りを行い、ロッキング・ディスク１５を駆動する。ロッキング・ディスク１５、モジュール支持プロファイル１２、及びベース・プレート４１の切除部４４（図２参照方）は、互いに相互作用を行い、ベーシック・モジュール１０がスイッチギア・アセンブリのそれぞれのデバイス領域（例えば、スイッチギア・キャビネット）の中に、アーキング漏電から安全なやり方で、噛み合うことを可能にする。
【００２５】
フロント・モジュール２８の上にネジで取り付けられたハンドル３４は、引き抜き可能なベーシック・モジュール１０を操作するために使用される。
【００２６】
図２は、レール１４を備えたベース・プレート４１の透視図を示している。それらのレールは、引き抜き可能なベーシック・モジュール１０またはモジュール支持プロファイルのガイド溝１１をガイドするために、互いに平行に配置されている。
【００２７】
更に、ベース・プレート４１の切除部４３が示されていて、それらの切除部は、ラッチング・エレメント１３との相互作用で、ベース・プレートに対する、ベーシック・モジュールの規定された位置合わせをもたらす。
【００２８】
ベース・プレート４１の切除部４４もまた示されている。それらは、ロッキング・ディスク１５及びモジュール支持プロファイル１２と相互作用を行い、ベーシック・モジュール１０が、スイッチギア・アセンブリのそれぞれのデバイス領域（例えばスイッチギア・キャビネット）の中に、アーキング漏電から安全なやり方で、噛み合うことを可能にする。
【図面の簡単な説明】
【００２９】
【図１】図１は、例示的形態における引き抜き可能なベーシック・モジュールの分解組立図を示す。
【図２】図２は、例示的形態におけるベース・プレートを示す。
【図１】
2008535467.tif 000003
【図２】
2008535467.tif 000004
【国際調査報告】
2008535467.tif 000005
2008535467.tif 000006
2008535467.tif 000007
2008535467.tif 000008
2008535467.tif 000009
2008535467.tif 000010